(57)【要約】【課題】複雑な制御をせずに、扉を開けたときに加熱室から放出される水蒸気等が上方に行くのを防止して、家具等の結露の発生を防止でき、かつ、この結露防止の冷却風を電子部品等の冷却に用いることができる加熱調理器を提供する。【解決手段】加熱室２の正面開口２１の上側に、冷却ファンからの冷却風を少なくとも前方に向けて吹き出す冷却風吹出口１１を備える。また、加熱室２の正面開口２１を開閉すると共に、冷却風吹出口１１を開閉する扉３を備える。【選択図】図６
2012220152.tif 000002
【特許請求の範囲】
【請求項１】
ケーシングと、
上記ケーシング内に設けられると共に、正面開口を有する加熱室と、
上記加熱室内に収容した食品を加熱するための加熱装置と、
上記ケーシング内に設けられると共に、電気部品を冷却するための冷却風を生成する冷却ファンと、
上記加熱室の正面開口の上側に位置すると共に、上記冷却ファンからの上記冷却風を少なくとも前方に向けて吹き出す冷却風吹出口と、
上記加熱室の正面開口を開閉すると共に、上記冷却風吹出口を開閉する扉と
を備えることを特徴とする加熱調理器。
【請求項２】
請求項１に記載の加熱調理器において、
上記冷却風吹出口には、上記冷却風を前方かつ下方に向けてガイドするガイドプレートを有することを特徴とする加熱調理器。
【発明の詳細な説明】
【技術分野】
【０００１】
この発明は、加熱調理器に関する。
【背景技術】
【０００２】
従来、加熱調理器としては、昭６１−１７２９０５号公報(特許文献１)に記載されたものがある。この加熱調理器では、ケーシング内に、加熱室と冷却ファンと電子部品とを設け、この加熱室を開閉する扉を設け、この扉の上方に常に開放している冷却風吹出口を設けている。そして、加熱途中または加熱終了後に上記扉を開いた場合に、扉を開いた後、冷却ファンを３０秒以上回転させて、冷却風吹出口から冷却風を前方に噴き出すことにより、加熱室内から放出される熱風や水蒸気がケーシングから離れるようにしていた。
【先行技術文献】
【特許文献】
【０００３】
【特許文献１】昭６１−１７２９０５号公報
【発明の概要】
【発明が解決しようとする課題】
【０００４】
しかしながら、上記従来の加熱調理器では、冷却風吹出口が常時開放されているため、加熱調理器の運転中は冷却ファンを停止して、冷却用吹出口から冷却風を出さないようにしなければならなかった。そのため、加熱調理器の運転中は、冷却ファンからの冷却風を電子部の冷却に使用することができなかった。
【０００５】
また、上記扉を開けた後に冷却ファンの運転を開始するようにしているため、冷却ファンと扉を連動させる必要があり、冷却ファンの制御が複雑になっていた。さらに、扉を開けた直後は冷却ファンが低速で、冷却風の勢いが弱かった。そのため、調理後に扉を開けると、加熱室内から水蒸気を含んだ気体が加熱調理器の直上に放出されてしまい、加熱調理器を載せているカップボードや吊り戸棚といった家具の壁や天面に水蒸気が付着し易く、結露が充分防止できないという問題があった。
【０００６】
そこで、この発明の課題は、複雑な制御をせずに、扉を開けたときに自動的に少なくとも前方に吹き出される冷却風によって加熱室から放出される水蒸気等を効果的に遠ざけて、家具等の結露の発生を防止でき、かつ、この結露防止の冷却風を電子部品等の冷却に用いることができる加熱調理器を提供することにある。
【課題を解決するための手段】
【０００７】
上記課題を解決するため、この発明の加熱調理器は、
ケーシングと、
上記ケーシング内に設けられると共に、正面開口を有する加熱室と、
上記加熱室内に収容した食品を加熱するための加熱装置と、
上記ケーシング内に設けられると共に、電気部品を冷却するための冷却風を生成する冷却ファンと、
上記加熱室の正面開口の上側に位置すると共に、上記冷却ファンからの上記冷却風を少なくとも前方に向けて吹き出す冷却風吹出口と、
上記加熱室の正面開口を開閉すると共に、上記冷却風吹出口を開閉する扉と
を備えることを特徴としている。
【０００８】
上記構成によれば、扉を開けると、加熱室の正面開口と共に冷却風吹出口も開放されるので、冷却ファンからの冷却風が、複雑な制御をしないでも扉の開放と連動して自動的に、加熱室の正面開口の上側の冷却風吹出口から少なくとも前方に向けて吹き出される。したがって、扉を開けたときに加熱室から放出される水蒸気が直ちに上方に行くのが防止されて、加熱調理器を収容している家具の壁等の結露の発生を防止できる。
【０００９】
さらに、上記冷却風吹出口は、扉の開閉により開閉されるため、加熱調理器の運転中に冷却ファンを駆動できる。したがって、扉を開いたときに結露防止のために使用できる冷却風を電子部品等の冷却に用いることができ、特に、扉を閉じているときに、電子部品の冷却に用いることができる。
【００１０】
また、一実施形態の加熱調理器では、
上記冷却風吹出口には、上記冷却風を前方かつ下方に向けてガイドするガイドプレートを有する。
【００１１】
上記実施形態によれば、冷却風吹出口に設けているガイドプレートによって、冷却風をスムーズに前方かつ下方にガイドできる。したがって、より効果的に、扉を開けたときに加熱室から放出される水蒸気が直ちに上方に行くのが防止されて、加熱調理器を収容している家具等の結露の発生を防止できる。
【発明の効果】
【００１２】
以上より明らかなように、この発明によれば、複雑な制御をせずに、扉を開けたときに自動的に少なくとも前方に吹き出される冷却風によって加熱室から放出される水蒸気等を効果的に遠ざけて、家具等の結露の発生を防止でき、かつ、この結露防止の冷却風を電子部品等の冷却に用いることができる加熱調理器を実現できる。
【図面の簡単な説明】
【００１３】
【図１】図１は、この発明の一実施形態の加熱調理器の正面図である。
【図２】図２は、上記加熱調理器の扉を開いた状態の正面図である。
【図３】図３は、上記加熱調理器の斜視図の模式図である。
【図４】図４は、上記加熱調理器の右側方から見た縦断面の模式図である。
【図５】図５は、上記加熱調理器の加熱室の正面開口の断面図の模式図である。
【図６】図６は、上記加熱調理器をカップボードに載せて、加熱室を加熱した後に扉を開いたときの断面図の模式図である。
【図７】図７は、上記冷却風吹出口を設けていない加熱調理器をカップボードに載せて、加熱室を加熱した後に扉を開いたときの断面図の模式図である。
【発明を実施するための形態】
【００１４】
以下、この発明の加熱調理器を図示の実施の形態により詳細に説明する。
【００１５】
この実施形態の加熱調理器は、図１に示すように、直方体形状のケーシング１と、このケーシング１内に設けている加熱室２（図２に示す）と、上記ケーシング１の正面側に回転自在に取り付けている扉３とを備えている。
【００１６】
上記扉３は、下端を中心に回動し、加熱室２の正面開口２１を開閉している。この扉３の上部には、ハンドル４を取り付けている。また、扉３の略中央部には、耐熱ガラス５を配置している。
【００１７】
上記ケーシング１の正面の右側には、操作パネル６を設けている。この操作パネル６は、液晶表示部７と、ダイヤル８と、複数のボタン９とを有している。また、ダイヤル８の下側には、給水タンク１０を着脱自在に収納している。
【００１８】
上記ケーシング１の正面の下側には、露受容器５０を着脱自在に取り付けている。この露受容器５０は、扉３の内側とケーシング１の正面側を伝わって落下する水滴を受け止めている。
【００１９】
また、上記ケーシング１には、図２に示すように、冷却風吹出口１１を設けている。この冷却風吹出口１１は、略矩形状で、加熱室２の正面開口２１の上側に複数配置していて、加熱室２の正面開口２１と共に、扉３によって開閉できるようになっている。上記冷却風吹出口１１は、扉３の内面で金属シールできるようにしている。尤も、図示しないが、複数の冷却風吹出口１１を囲むパッキンを設けてもよい。
【００２０】
また、上記ケーシング１の上面かつ後面側に、外側排気口２８を有する排気ダクト３０を設け、上記加熱室２内の後面側には、加熱室側排気口１９を設けている。
【００２１】
上記扉３の加熱室２側には、耐熱ガラス５を取り囲むように耐熱樹脂製のパッキン６０を固着している。このパッキン６０は、扉３を閉じると、加熱室２の正面開口２１の周縁部に強く密着するようになっている。これにより、扉３と加熱室２の正面開口２１の周縁部との間から、加熱室２内の水蒸気などが漏れ出るのを防いでいる。
【００２２】
図３は、上記加熱調理器の斜視図の模式図である。図３に示すように、上記ケーシング１内、かつ加熱室２の右側に、電子部品等の電装品部７０と、冷却ファン４０を設けている。この冷却ファン４０は、電装品部７０を冷却するための冷却風を生成する。そして、ケーシング１の後面側から電装品部７０に向けて冷却風を供給して、電装品部７０を冷却する。また、加熱室２の天面上に、上ヒータ１４，１４（図４に示す）を収納する上ヒータカバー１５，１５を設けている。
【００２３】
上記冷却ファン４０からの冷却空気は、電装品部７０を冷却した後、加熱室２の右側方を通って加熱室２の天面側に向かい、上ヒータカバー１５，１５に沿って、加熱室２の天面側を左側方に向かって流れる。また、上記冷却風の一部は、図４に示すように、加熱室２の後面側に流れて、排気ダクト３０の冷却風導入口３１から排気ダクト３０内に流れ込んで、加熱室側排気口１９からの水蒸気を希釈して外側排気口２８から排気される。また、冷却風は、図４の矢印Ｙに示すように、ケーシング１の天面に沿って吹き出されて、外側排気口２８から排気された水蒸気を前方に案内する。
【００２４】
図４は、上記加熱調理器の右側方から見た縦断面の模式図である。図４に示すように、上記ケーシング１内には、加熱室２の天面上に上ヒータ１４，１４と、上ヒータカバー１５，１５を設けている。また、加熱室２の後面側に水蒸気を生成する蒸気発生装置２０を、加熱室２の底面下に給水タンク１０と下ヒータ１８を設けている。
【００２５】
上記給水タンク１０には、給水ポンプ１６を取り付けていて、この給水ポンプ１６は、給水タンク１０内の水を吸い込み、給水管１７を介して蒸気発生装置２０に給水タンク１０の水を供給する。給水タンク１０から蒸気発生装置２０に供給された水は加熱され水蒸気または過熱水蒸気となり、この水蒸気または過熱水蒸気が加熱室２内に供給される。
【００２６】
図５は、上記加熱調理器の加熱室２の正面開口２１の断面図の模式図である。上記冷却風吹出口１１には、ガイドプレート１２を設けている。このガイドプレート１２は、加熱室２内部方向に向かって高くなるように勾配をつけて配置している。
【００２７】
上記冷却風吹出口１１は、扉３を開けることで開放され、加熱室２の正面側に流れている冷却風が、この冷却風吹出口１１から吹き出す。この際、冷却風は、ガイドプレート１２によって前方かつ下側に向かってガイドされる。
【００２８】
図６は、上記加熱調理器をカップボード８０に載せて、加熱室２を加熱した後に扉３を開いたときの断面図の模式図であり、図７は、上記冷却風吹出口１１を設けていない加熱調理器をカップボード８０に載せて、加熱室２を加熱した後に扉３を開いたときの断面図の模式図である。なお、図１，図２と同一構成部には同一参照番号を付している。
【００２９】
上記構成において、上記加熱調理器の扉３を調理中あるいは調理後に開いた場合、図６に示すように、加熱室２内から水蒸気を含む気体９０が放出される共に、冷却風吹出口１１から冷却風が前方かつ下方向に、ガイドプレート１２にガイドされて吹き出される。このとき、冷却ファン４０から供給された冷却風は、扉３を閉めているときでも冷却風吹出口１１まで送風されており、また、扉３を開けると同時に、冷却風吹出口１１周りの冷却風を引き出すため、十分な勢いを持って吹き出される。この冷却風によって、加熱室２から放出される水蒸気を含む気体９０は直ちに上方に向かわずに加熱室２から遠ざけられ、したがって、カップボード８０に接触することなく上昇する。したがって、カップボード８０の結露を防止できる。
【００３０】
一方、上記冷却風吹出口１１を設けていない加熱調理器の扉３を調理中あるいは調理後に開いた場合、図７に示すように、扉３を開けると、加熱室２内から水蒸気を含む気体９０がそのまま直ぐ上方に放出される。この放出された水蒸気を含む気体９０は、加熱室２の正面開口２１から直ちに上方に向かうため、カップボード８０の内面に一部が接触する。そして、水蒸気を含む気体９０がカップボード９０内に充満するため、カップボード８０の内面や側面に大量に水蒸気が付着してしまう。この付着した水蒸気により結露が発生し、カップボード８０の内面や側面の腐食等の原因となる。
【００３１】
このように、扉３を開けると、加熱室２の正面開口２１と共に冷却風吹出口１１も開放されるので、冷却ファン４０からの冷却風が、複雑な制御をしないで、扉３の開放と連動して自動的に、加熱室２の正面開口２１の上側の冷却風吹出口１１から前方かつ下方に向けて吹き出される。したがって、扉３を開けたときに加熱室２から放出される水蒸気を含む気体９０が直ちに上方に行くのが防止されて、加熱調理器を収容している家具等の結露の発生を防止できる。
【００３２】
また、冷却風吹出口１１に設けているガイドプレート１２によって、冷却風をスムーズに前方かつ下方にガイドできるので、より効果的に、扉３を開けたときに加熱室２から放出される水蒸気を含む気体９０が直ちに上方に行くのが防止されて、加熱調理器を収容している家具等の結露の発生を防止できる。
【００３３】
上記加熱調理器では、加熱室２の正面開口２１の下側の軸を中心として回転する回動式の扉３で加熱室２の正面開口２１を開閉している。そのため、図５に示すように、加熱調理器の扉３を調理中あるいは調理後に開いたとき、前方かつ下方に勢いよく吹き出された冷却風は、扉３にぶつかって、扉３に沿って斜め上方に案内される。このとき、加熱室２から放出される水蒸気を含む気体９０は、この扉３に沿って斜め上方へ流れる冷却風の流れに乗って直ちに上方に向かわずに加熱室２から遠ざけられる。したがって、加熱室２から放出される水蒸気を含む気体９０が直ちに上方に行くのが防止されて、加熱調理器を収容している家具等の結露の発生を確実に防止できる。
【００３４】
また、上記冷却風吹出口１１は、扉３の開閉により開閉されるため、加熱調理器の運転中に冷却ファン４０を駆動できる。したがって、扉３を開いたときに結露防止のために使用できる冷却風を電子部品等の冷却に用いることができ、特に、扉３を閉じているときに、電装品部７０の冷却に用いることができる。
【００３５】
また、上記冷却風の一部は、排気ダクト３０の冷却風導入口３１から排気ダクト３０内に流れ込んで、加熱室側排気口１９からの水蒸気を希釈して外側排気口２８から排気される。したがって、冷却ファン４０からの冷却風を、扉３を開いたときに、正面開口２１から水蒸気等を前方かつ下方に向けるための冷却風としてのみならず、加熱室２内から排気される水蒸気等の希釈のための冷却風としても使用できる。
【００３６】
上記加熱調理器では、加熱装置として蒸気発生装置２０を備えているが、これに限られず、例えば、マグネトロンまたはヒータのみであってもいいし、蒸気発生装置とマグネトロンとヒータとのうち複数を備えていてもよい。
【００３７】
また、上記実施形態では、加熱室２の正面開口２１の下側の軸を中心として回動式の扉３で加熱室２の正面開口２１を開閉しているが、これに限られず、例えば、ケーシング１に対して前後方向にスライドする開閉扉で加熱室２の正面開口２１を開閉するようにしてもよく、あるいは、正面開口２１の左または右を中心として開閉する扉であってもよい。
【００３８】
上記実施形態では、ガイドプレート１２が冷却風をガイドする方向は、前方かつ下方向であるが、これに限られず、例えば、前方のみでもよく、前方かつ上方向であってもよい。
【符号の説明】
【００３９】
１…ケーシング
２…加熱室
３…扉
４…ハンドル
５…耐熱ガラス
６…操作パネル
７…液晶表示部
８…ダイヤル
９…ボタン
１０…給水タンク
１１…冷却風吹出口
１２…ガイドプレート
１４…上ヒータ
１５…上ヒータカバー
１６…給水ポンプ
１７…給水管
１８…下ヒータ
１９…加熱室側排気口
２１…正面開口
２８…外部排気口
３０…排気ダクト
３１…冷却風導入口
４０…冷却ファン
５０…露受容器
６０…パッキン
７０…電装品部
８０…カップボード
９０…水蒸気を含む気体
【図１】
2012220152.tif 000003
【図２】
2012220152.tif 000004
【図３】
2012220152.tif 000005
【図４】
2012220152.tif 000006
【図５】
2012220152.tif 000007
【図６】
2012220152.tif 000008
【図７】
2012220152.tif 000009